【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
外部ソースおよびローカルソースからのコンテンツオファーを処理する方法であって、
少なくとも１つの外部ソースからのコンテンツオファーを受信しおよび処理するステップと、
少なくとも１つのローカルソースからのコンテンツオファーを検索するステップと、
前記処理したコンテンツオファーおよび前記検索したコンテンツオファーを集約するステップと、
を含む、前記方法。
【請求項２】
前記コンテンツオファーは、前記コンテンツオファーに含まれる対応するコンテンツのアクセス情報を含む、請求項１に記載の方法。
【請求項３】
前記コンテンツオファーを処理するステップは、前記受信したコンテンツオファーに基づきカタログ情報を処理するステップを含む、請求項１に記載の方法。
【請求項４】
前記コンテンツオファーを検索するステップは、前記検索したコンテンツオファーに基づきカタログ情報を生成するステップを含む、請求項１に記載の方法。
【請求項５】
前記集約するステップを規則に基づき実行する、請求項１に記載の方法。
【請求項６】
少なくとも１つの外部ソースからのコンテンツオファーを受信するインタフェースと、
前記受信したコンテンツオファーを処理する処理部と、
少なくとも１つのローカルソースからのコンテンツオファーを検索するコンテンツオファー検索部と、
前記処理部からの前記処理したコンテンツオファーおよび前記コンテンツオファー検索部からの前記検索したコンテンツオファーを集約する集約部と、
を備える、コンテンツオファープロセッサ。
【請求項７】
前記コンテンツオファーは、前記コンテンツオファーに含まれる対応するコンテンツのアクセス情報を含む、請求項６に記載のコンテンツオファープロセッサ。
【請求項８】
前記処理部は、前記受信したコンテンツオファーに基づきカタログ情報を処理する、請求項６に記載のコンテンツオファープロセッサ。
【請求項９】
前記コンテンツオファー検索部は、前記検索したコンテンツオファーに基づきカタログ情報を生成する、請求項６に記載のコンテンツオファープロセッサ。
【請求項１０】
前記集約部は、規則に基づき集約を実行する、請求項６に記載のコンテンツオファープロセッサ。
【請求項１１】
デジタルロッカーサービスを提供する方法であって、
前記デジタルロッカーサービスを介してユーザに提供されたコンテンツオファーを処理するステップであって、前記コンテンツオファーは、少なくとも１つの外部ソースおよび少なくとも１つのローカルソースからのコンテンツオファーを含む、ステップと、
前記処理したコンテンツオファーを前記ユーザが使用できるように格納するステップと、
を含む、前記方法。
【請求項１２】
前記処理したコンテンツオファーに含まれるコンテンツを製品化するステップ
をさらに含む、請求項１１に記載の方法。
【請求項１３】
前記製品化するステップは、
前記少なくとも１つのローカルソースからの前記処理したコンテンツオファーに含まれるコンテンツに対する権利情報を作成するステップ
を含む、請求項１２に記載の方法。
【請求項１４】
前記ユーザからの要求を処理するステップ
をさらに含む、請求項１１に記載の方法。
【請求項１５】
デジタルロッカーシステムを介してユーザに提供されたコンテンツオファーを処理するオファープロセッサであって、前記コンテンツオファーは、少なくとも１つの外部ソースおよび少なくとも１つのローカルソースからのコンテンツオファーを含む、オファープロセッサと、
前記処理したコンテンツオファーを格納する記憶部と、
を備える、前記デジタルロッカーシステム。
【請求項１６】
前記少なくとも１つのローカルソースからの前記処理したコンテンツオファーに含まれるコンテンツに対する権利情報を作成する電子商取引サーバ
をさらに備える、請求項１５に記載のデジタルロッカーシステム。
【請求項１７】
ユーザの要求を処理するサービスプロセッサをさらに備える、請求項１５に記載のデジタルロッカーシステム。
【請求項１８】
前記ユーザの要求は、ユーザの再生要求およびユーザの取得要求のうちの１つを含む、請求項１７に記載のデジタルロッカーシステム。
【請求項１９】
デジタルロッカーサービスにおいてユーザの要求を処理する方法であって、
コンテンツに対するユーザの要求を受信するステップと、
前記コンテンツがローカルにホストされているかどうかを判定することによって前記コンテンツに対するスキームを判定するステップであって、前記コンテンツがローカルにホストされている場合、前記スキームを、ローカルサービスを使用するものとして判定し、他の場合、前記スキームを、外部サービスを使用するものとして判定するステップと、
前記ユーザの要求を、前記判定したスキームを使用して処理するステップと、
を含む、前記方法。
【請求項２０】
前記ユーザの要求は、ユーザの再生要求およびユーザの取得要求のうちの１つを含む、請求項１９に記載の方法。
【手続補正２】
【補正対象書類名】明細書
【補正対象項目名】００９６
【補正方法】変更
【補正の内容】
【００９６】
例示的諸実施形態を本明細書において詳細に記載したが、当然のことながら、本発明をこれらの実施形態に限定するものではなく、添付請求項で定義した本発明の範囲を逸脱することなく、当業者によって他の修正および変形がなされてもよい。
本発明は以下の態様を含む。
（付記１）
外部ソースおよびローカルソースからのコンテンツオファーを処理する方法であって、
少なくとも１つの外部ソースからのコンテンツオファーを受信しおよび処理するステップと、
少なくとも１つのローカルソースからのコンテンツオファーを検索するステップと、
前記処理したオファーおよび前記検索したオファーを集約するステップと、
を含む、前記方法。
（付記２）
前記コンテンツオファーは、前記コンテンツオファーに含まれる対応するコンテンツのアクセス情報を含む、付記１に記載の方法。
（付記３）
前記コンテンツオファーを処理するステップは、前記受信したコンテンツオファーに基づきカタログ情報を処理するステップを含む、付記１に記載の方法。
（付記４）
前記コンテンツオファーを検索するステップは、前記検索したコンテンツオファーに基づきカタログ情報を生成するステップを含む、付記１に記載の方法。
（付記５）
前記集約するステップを規則に基づき実施する、付記１に記載の方法。
（付記６）
少なくとも１つの外部ソースからのコンテンツオファーを受信するインタフェースと、
前記受信したコンテンツオファーを処理する処理装置と、
少なくとも１つのローカルソースからのコンテンツオファーを検索するコンテンツオファー検索装置と、
前記処理装置からの前記処理したオファーおよび前記コンテンツオファー検索装置からの前記検索したオファーを集約する集約装置と、
を備える、コンテンツオファープロセッサ。
（付記７）
前記コンテンツオファーは、前記コンテンツオファーに含まれる対応するコンテンツのアクセス情報を含む、付記６に記載のコンテンツオファープロセッサ。
（付記８）
前記処理装置は、前記受信したコンテンツオファーに基づきカタログ情報を処理する、付記６に記載のコンテンツオファープロセッサ。
（付記９）
前記コンテンツオファー検索装置は、前記検索したコンテンツオファーに基づきカタログ情報を生成する、付記６に記載のコンテンツオファープロセッサ。
（付記１０）
前記集約装置は、規則に基づき集約を実行する、付記６に記載のコンテンツオファープロセッサ。
（付記１１）
デジタルロッカーサービスを提供する方法であって、
前記デジタルロッカーサービスを介してユーザに提供するコンテンツオファーを処理するステップであって、前記コンテンツオファーは、少なくとも１つの外部ソースおよび少なくとも１つのローカルソースからのコンテンツオファーを含む、ステップと、
前記処理したコンテンツオファーを前記ユーザが使用できるように格納するステップと、
を含む、前記方法。
（付記１２）
前記処理したオファーに含まれるコンテンツを製品化するステップ
をさらに含む、付記１１に記載の方法。
（付記１３）
前記製品化するステップは、
前記少なくとも１つのローカルソースからの前記処理したオファーに含まれるコンテンツに対する権利情報を作成するステップ
を含む、付記１２に記載の方法。
（付記１４）
前記ユーザからの要求を処理するステップ
をさらに含む、付記１１に記載の方法。
（付記１５）
前記デジタルロッカーシステムを介してユーザに提供するコンテンツオファーを処理するオファープロセッサであって、前記コンテンツオファーは、少なくとも１つの外部ソースおよび少なくとも１つのローカルソースからのコンテンツオファーを含む、オファープロセッサと、
前記処理したコンテンツオファーを格納する記憶装置と、
を備える、デジタルロッカーシステム。
（付記１６）
前記少なくとも１つのローカルソースからの前記処理したオファーに含まれるコンテンツに対する権利情報を作成する電子商取引サーバ
をさらに備える、付記１５に記載のデジタルロッカーシステム。
（付記１７）
ユーザの要求を処理するサービス処理装置をさらに備える、付記１５に記載のデジタルロッカーシステム。
（付記１８）
前記ユーザの要求は、ユーザの再生要求およびユーザの取得要求のうちの１つを含む、付記１７に記載のデジタルロッカーシステム。
（付記１９）
デジタルロッカーサービスにおいてユーザの要求を処理する方法であって、
コンテンツに対するユーザの要求を受信するステップと、
前記コンテンツがローカルにホストされているかどうかを判定することによって前記コンテンツに対するスキームを判定するステップであって、前記コンテンツがローカルにホストされている場合、前記スキームを、ローカルサービスを使用するものとして判定し、他の場合、前記スキームを、外部サービスを使用するものとして判定するステップと、
前記ユーザの要求を、前記判定したスキームを使用して処理するステップと、
を含む、前記方法。
（付記２０）
前記ユーザの要求は、ユーザの再生要求およびユーザの取得要求のうちの１つを含む、付記１９に記載の方法。